(57)【要約】      （修正有）【課題】読み取りが終了した原稿を積載部に確実に積載する。【解決手段】原稿を給送する原稿給送部８１３と、原稿給送部８１３によって給送された原稿を読み取る画像読取部８０６と、画像読取部８０６で読み取られ、排出された原稿を積載する原稿排出部と、を備えた画像読取装置であって、原稿給送部８１３による原稿の給送中に、原稿のサイズを検知する原稿サイズ検知部８０１と、原稿排出部の状態を検知する排出台状態検知部５５と、原稿のサイズが原稿排出部で積載可能なサイズよりも大きいか否かを判定する判定部８０３と、原稿給送制御部８１２及び画像読取制御部８０５と、を備える。判定部８０３で原稿のサイズが積載可能なサイズよりも大きいと判定された場合に、原稿給送制御部８１２が原稿給送部８１３による給送処理を停止し、また、画像読取制御部８０５が画像読取部８０６による読取処理を停止する。【選択図】図９
2010114528.tif 000002
【特許請求の範囲】
【請求項１】
原稿を給送する給送手段と、
前記給送手段によって給送された原稿に光を照射する照射手段と、
前記照射手段によって照射された原稿を読み取る読取手段と、
前記読取手段で読み取られ、排出された原稿を積載する積載手段と、
を備えた画像読取装置であって、
前記給送手段による前記原稿の給送中に、前記原稿のサイズを検知する第１検知手段と、
前記積載手段の状態を検知する第２検知手段と、
前記原稿の給送前又は給送中に、前記第１検知手段が検知した前記原稿のサイズと、前記第２検知手段が検知した前記積載手段の状態に基づいて、前記原稿のサイズが前記積載手段で積載可能なサイズよりも大きいか否かを判定する判定手段と、
前記給送手段、前記照射手段及び前記読取手段を制御する制御手段と、
を備え、
前記制御手段は、前記判定手段で前記原稿のサイズが前記積載可能なサイズよりも大きいと判定された場合に、少なくとも前記給送手段による給送処理及び前記読取手段による読取処理を停止することを特徴とする画像読取装置。
【請求項２】
前記制御手段は、前記判定手段で前記原稿のサイズが前記積載可能なサイズよりも大きいと判定され、前記給送処理及び前記読取処理を停止した後に、再び前記判定手段での判定を行い、前記判定手段で前記原稿のサイズが前記積載可能なサイズ以下であると判定された場合に、前記読取処理を停止した位置から前記給送処理及び前記読取処理を再開することを特徴とする請求項１に記載の画像読取装置。
【請求項３】
前記判定手段で前記原稿のサイズが前記積載手段で積載可能なサイズよりも大きいと判定された場合に、前記読取処理が終了したか否かを判定する終了判定手段と、
前記読取手段で読み取られた画像データを記憶する記憶手段と、
を更に備え、
前記制御手段は、前記終了判定手段で前記読取処理を終了していないと判定された場合に、前記給送処理及び前記読取処理を停止すると共に前記読取処理を終了していない画像データを前記記憶手段に記憶することを特徴とする請求項１又は２に記載の画像読取装置。
【請求項４】
ユーザに対して予め定めた情報を表示する表示手段を更に備え、
前記制御手段は、前記判定手段で前記原稿のサイズが前記積載可能なサイズよりも大きいと判定された場合に、前記表示手段にその旨の警告表示を行うように、前記表示手段を制御することを特徴とする請求項１乃至３のいずれか１項に記載の画像読取装置。
【発明の詳細な説明】
【技術分野】
【０００１】
本発明は、原稿に形成された画像を読み取る画像読取装置に関する。
【背景技術】
【０００２】
複写機やイメージスキャナ等の画像読取装置では、ユーザが読み取るべき原稿を原稿台にセットして、スタートスイッチを押す等して読み取り指示を行うと読取処理を開始する処理を行うものが一般的である（特許文献１及び２参照）。
【０００３】
例えば、特許文献３では、原稿を原稿台にセットした際に、予め設定された原稿サイズと読み取るべき原稿サイズとを比較して、これらのサイズが同じである場合にのみ、読み取りを開始する技術が開示されている。また、特許文献４では、これらのサイズが異なる場合に、転写紙に対する縦横の画像形成倍率を変更可能にする技術が開示されている。
【特許文献１】特開平６−２６３２９０号公報
【特許文献２】特開平６−２８９６７３号公報
【特許文献３】特開平６−５９５４１号公報
【特許文献４】特開平９−２８４４９２号公報
【発明の開示】
【発明が解決しようとする課題】
【０００４】
ここで、従来の画像読取装置では、読み取りが終了した原稿は、順次、積載トレイ等の積載部に積載されていく。
【０００５】
しかしながら、読み取るべき原稿サイズが積載部の積載可能なサイズよりも大きい場合、例えば、読み取るべき原稿サイズがＡ３であり、積載部の積載可能なサイズがＡ３よりも小さいＡ４である場合に、原稿が積載部に収まりきらずに落下してしまうことがある。
【０００６】
従って、本発明の目的は、読み取りが終了した原稿を積載部に確実に積載することにある。
【課題を解決するための手段】
【０００７】
上記課題を解決するため、本発明に係る画像読取装置は、原稿を給送する給送手段と、前記給送手段によって給送された原稿に光を照射する照射手段と、前記照射手段によって照射された原稿を読み取る読取手段と、前記読取手段で読み取られ、排出された原稿を積載する積載手段と、を備えた画像読取装置であって、前記給送手段による前記原稿の給送中に、前記原稿のサイズを検知する第１検知手段と、前記積載手段の状態を検知する第２検知手段と、前記原稿の給送前又は給送中に、前記第１検知手段が検知した前記原稿のサイズと、前記第２検知手段が検知した前記積載手段の状態に基づいて、前記原稿のサイズが前記積載手段で積載可能なサイズよりも大きいか否かを判定する判定手段と、前記給送手段、前記照射手段及び前記読取手段を制御する制御手段と、を備え、前記制御手段は、前記判定手段で前記原稿のサイズが前記積載可能なサイズよりも大きいと判定された場合に、少なくとも前記給送手段による給送処理及び前記読取手段による読取処理を停止することを特徴とする。
【発明の効果】
【０００８】
本発明によれば、読み取りが終了した原稿を積載部に確実に積載することができる。
【発明を実施するための最良の形態】
【０００９】
以下に、本発明の実施形態について図面を参照して詳細に説明する。なお、以下に説明する実施形態は、本発明の実現手段としての一例であり、本発明は、その趣旨を逸脱しない範囲で以下の実施形態を修正又は変形したものに適用可能である。
【００１０】
＜第１の実施形態＞
図１は、本発明の第１の実施形態に係る画像読取装置２００の概略的な構成を示す図である。図２は、画像読取装置２００の概略的な構成を示す図である。図３は、画像読取装置２００内の原稿給送装置１０１に配設された光学センサ４０１を示す図である。
【００１１】
原稿台１は、原稿を複数枚積載可能であり、上下方向に昇降自在である。原稿台駆動モータ２は、原稿台１を昇降する。原稿検知センサ３は、原稿台１の原稿を検知する。ピックアップローラ４は、原稿台１に積載された原稿を原稿台１から送り出す。給紙モータ５は、ピックアップローラ４を回転する。
【００１２】
給送ローラ６は、給送モータ８によって、原稿を下流側に搬送する方向に回転する。分離ローラ７は、不図示のスリップクラッチを介して分離モータ９から原稿を上流側に搬送する回転力を常時受けているが、原稿が１枚の場合には、原稿の搬送力を受けてスリップクラッチによって給送ローラ６に追従回転を許容されて追従回転する。そして、分離ローラ７は、原稿が複数枚の場合には、原稿を上流側に搬送する方向に回転して、原稿を上流側に戻し搬送する。
【００１３】
この給送ローラ６の原稿を下流側に搬送する作用と、分離ローラ７の原稿を上流側に戻し搬送する作用とによって、原稿が重なって給送ローラ６と分離ローラ７とのニップに送り込まれたとき、上位の原稿は下流側に搬送され、下位の原稿は上流側に押し戻されて、重なった原稿が分離搬送される。従って、給送ローラ６と分離ローラ７は、分離ローラ対６、７を構成している。なお、分離ローラ対６、７の代わりに不図示の分離ベルトローラ対を用いてもよい。Ｓ１は分離給送部に原稿が存在することを検知するセンサであり、Ｓ２は原稿の重送を検知するセンサである。
【００１４】
給送モータ８は、給送ローラ６を回転する。分離モータ９は、分離ローラ７を回転する。搬送モータ１０は、分離搬送後の原稿を原稿読取位置から排出位置まで搬送可能であり、原稿の読み取りに最適な速度や、原稿の解像度等に応じて速度を変更可能である。
【００１５】
ニップ隙間調整モータ１１は、給送ローラ６と分離ローラ７との隙間、又は分離ローラ７に対する給送ローラ６の圧接圧を調整して、原稿の厚みに適合した隙間又は圧接圧で原稿を分離搬送可能である。
【００１６】
原稿読取センサ１４、１５を備えた原稿読取部４３は、原稿を読み取る部分であり、原稿の読み取り速度と解像度に基づいて走査間隔を変更可能である。原稿排出センサ１６は、原稿読取部４３を通過して原稿排出部４４に排出されたことを検知する。
【００１７】
レジストローラ１７、１８は、原稿が下流側に搬送することを制限して、原稿の斜行を補正する。レジストクラッチ１９は、搬送モータ１０の回転をレジストローラ１８に伝達するか否かを選択可能に動作する。
【００１８】
原稿搬送ローラ２０、２１、２２、２３は、原稿Ｆを原稿排出部４４に搬送する。上ガイド板４０と下ガイド板４１との２つのガイド板は、分離ローラ対６、７、レジストローラ１７、１８、原稿搬送ローラ２０、２１、２２、２３に挟まれて搬送される原稿Ｆを案内する。上記レジストローラ１７、１８と原稿搬送ローラ２０、２１、２２、２３による原稿の搬送も給送処理の一部である。
【００１９】
このように、読取動作が行われ、読み込まれた画像が画像読取装置に接続されたＰＣ等に送信される。
【００２０】
ユーザによって原稿読取指示がなされた場合には、原稿台１から原稿が搬送される。例えば、図３で示す光学センサ４０１が主走査方向及び副走査方向のそれぞれの読取原稿サイズを検知する。
【００２１】
図３において、光学センサ４０１が主走査方向に移動し、原稿読取動作開始直後に主走査方向の原稿サイズ検知動作を行う。光学センサが移動する際に、出力が大きく変化する箇所を検出してタイムカウンタのスタート・ストップを行い、得られた数値から演算を行って原稿サイズを検知する。
【００２２】
具体的には図４のように、センサ出力が大きく変化してから、次に大きく変化するまでの間に、予め一定に定められたセンサ移動速度を乗じて原稿サイズ検知を行う。原稿給送装置１０１は、更に、投光部７０１及び受光部７０２を備えており、副走査方向に対しては、図５のように原稿Ｆが給送される間に、投光部７０１から発せられた光を受光する受光部７０２の出力を、センサ出力検知部７０３で検知する。センサ出力が最初に大きく変化（例えば、出力信号の立ち下り）してから、次に大きく変化するまで（例えば、出力信号の立ち上り）の間、パルスモータカウンタ７０４で原稿給送時に駆動するパルスモータのパルス数をカウントし、副走査方向原稿サイズ計算部７０５で原稿を給送した距離、すなわち、原稿を副走査方向の端から端まで移動するのに必要な距離を算出することにより、副走査方向の原稿サイズを検知する。
【００２３】
一方で、排出台状態検知部５５により原稿排出台の状態を検知する場合には、例えば原稿排出部４４に立設された、原稿の側部を規制する原稿排出ガイドに設けた測距センサを用いる。例えば、光パルス式測距センサを用いた場合、図６のような構成となる。
【００２４】
パルスジェネレータ９０１からパルスを発生し、２つの原稿排出ガイドの一方に設けた投光部９０２からレーザ光等のパルス光を他方の原稿排出ガイドに向けて照射する。他方の原稿排出ガイドで反射されたパルスを受光部９０３で受光し、位相差検知部９０４で、投光／受光時のパルスの位相差を検知する。この検知結果に基づいて、距離計算部９０５で原稿排出ガイド部間の距離を算出する。これにより、原稿排出台における主走査方向の幅が検知可能となる。
【００２５】
排出状態検知部５５による副走査方向に対する原稿排出部の長さの検知は、例えば図７のように、原稿排出部４４上に積載される原稿と干渉しない位置に、メカニカルスイッチ３０２を設け、スイッチの状態を検知する。これにより、原稿排出部拡張トレイ３０１が畳まれている場合には、メカニカルスイッチ３０２が押され、原稿排出部拡張トレイが開かれている場合には、メカニカルスイッチ３０２が開放になる。このため、これを監視することにより、原稿排出部が拡張されているか否かを検出することができる。
【００２６】
ここで、上述で使用したメカニカルスイッチの代わりに、図８のように光学センサ３０３を原稿排出部４４に設け、その出力を測定してもよいし、原稿排出部４４に感圧式の抵抗３０４を設け、その抵抗値を電圧値又は電流値等に変換し測定してもよい。これにより、副走査方向の原稿排出部拡張トレイの状態検知を行っても良い。
【００２７】
図９は、第１の実施形態に係る画像読取装置の機能的構成を示すブロック図であり、図１０は、画像読取処理の動作手順を示す図である。
【００２８】
まず、ステップＳ１１１において、ユーザによって原稿の読取指令が入力される。次に、ステップＳ１１２において、原稿サイズ検知部８０１が原稿サイズを検知してその検知結果を判定部８０３に送信し、排出台状態検知部５５が原稿排出台の状態を検知してその検知結果を判定部８０３に送信する。そして、ステップＳ１１３において、判定部８０３が、原稿サイズ検知部８０１で検知された読取原稿サイズＸ１と、排出台状態検知部５５で検知された原稿排出台の状態で積載可能な原稿サイズＸ２とを比較して、読取原稿サイズＸ１が現状の原稿排出台状態で積載可能な原稿サイズＸ２よりも大きい（Ｘ１＞Ｘ２）か否かを判定する。この判定処理は、原稿の給送前又は給送中に行う。
【００２９】
ステップＳ１１３で読取原稿サイズＸ１が原稿排出台で積載可能な原稿サイズＸ２以下である（Ｘ１＜＝Ｘ２）と判定された場合には、ステップＳ１１５において、通常の画像読取処理を行う。一方、ステップＳ１１３で読取原稿サイズＸ１が原稿排出台で積載可能な原稿サイズＸ２よりも大きい（Ｘ１＞Ｘ２）と判定された場合には、ステップＳ１１４において、原稿の画像読取処理及び給送処理を停止するために、ＣＰＵ８０４が、原稿給送制御部８１２、画像読取制御部８０５及び照射制御部８０９に画像読取の停止、原稿給送の停止、原稿搬送の停止及び照射の停止を行うよう命令を送信する。なお、ステップＳ１１４では、この時点までに読み取った原稿の画像データが画像メモリ８０７からクリアされる。
【００３０】
ユーザにより、原稿排出部の状態が適正に変更された場合には、ステップＳ１１５で通常動作を開始させるため、ＣＰＵ８０４から原稿給送制御部８１２、画像読取制御部８０５及び照射制御部８０９に命令を送信し、画像読取待機状態とする。また、給送・搬送の停止していた原稿を正常に原稿排出台に積載、排出させる。ユーザが当該原稿を再び原稿台にセットし直すことで通常の画像読取動作が行われる。
【００３１】
以上述べた通り、本実施形態によれば、読み取りが終了した原稿を原稿排出台に確実に積載することができる。
【００３２】
なお、本実施形態では、原稿給送部８１３が原稿給送制御部８１２を、照射部８０８が照射制御部８０９を、画像読取部８０６が画像読取制御部８０５をそれぞれ備えた構成としたが、１つの制御部が、原稿給送制御部８１２、照射制御部８０９及び画像読取制御部８０５として機能する構成であっても構わない。
【００３３】
＜第２の実施形態＞
本実施形態では、読取原稿サイズが原稿排出台の積載可能な原稿サイズよりも大きいと判定された場合に、第１の実施形態での処理に加えて、ユーザへの警告処理を更に行う点で異なる。なお、画像読取装置の全体構成は、第１の実施形態の構成（図１、図２参照）と同様であるため、同一の符号を付して説明を省略する。
【００３４】
図１１は、第２の実施形態に係る画像読取装置の機能的構成を示すブロック図であり、図１２は、画像読取処理の動作手順を示す図である。
【００３５】
本実施形態では、ユーザに対して予め定めた情報を表示するディスプレイ等の警告表示部８１１を更に備えている。
【００３６】
まず、ステップＳ２１１において、ユーザによって原稿の読取指令が入力される。次に、ステップＳ２１２において、原稿サイズ検知部８０１が原稿サイズを検知してその検知状態を判定部８０３に送信し、排出台状態検知部５５が原稿排出台の状態を検知してその検知状態を判定部８０３に送信する。そして、ステップＳ２１３において、判定部８０３が、原稿サイズ検知部８０１で検知された読取原稿サイズＸ１と、排出台状態検知部５５で検知された原稿排出台状態で積載可能な原稿サイズＸ２とを比較して、読取原稿サイズＸ１が現状の原稿排出台状態で積載可能な原稿サイズＸ２よりも大きい（Ｘ１＞Ｘ２）か否かを判定する。この判定処理は、原稿の給送前又は給送中に行う。
【００３７】
ステップＳ２１３で読取原稿サイズＸ１が原稿排出台で積載可能な原稿サイズＸ２以下である（Ｘ１＜＝Ｘ２）と判定された場合には、ステップＳ２１５において、通常の画像読取処理を行う。一方、ステップＳ２１３で読取原稿サイズＸ１が原稿排出台で積載可能な原稿サイズＸ２よりも大きい（Ｘ１＞Ｘ２）と判定された場合には、ステップＳ２１４において、原稿の画像読取処理及び給送処理を停止するために、ＣＰＵ８０４が、原稿給送制御部８１２、画像読取制御部８０５、照射制御部８０９及び警告表示制御部８１０に原稿給送処理、画像読取停止及びユーザへの警告表示を行うように命令を送信する。なお、ステップＳ２１４では、この時点までに読み取った原稿の画像データが画像メモリ８０７からクリアされる。警告する表示内容としては、例えば原稿排出部の状態を、読取原稿サイズよりも大きくすべき旨を通知する内容とする。
【００３８】
ユーザにより、原稿排出部の状態が適正に変更された場合には、ＣＰＵ８０４から原稿給送制御部８１２、画像読取制御部８０５、照射制御部８０９及び警告表示制御部８１０に命令を送信し、画像読取再開及び警告を非表示とする。その後、給送停止していた原稿が正常に原稿排出台に積載され、ユーザが原稿を再び原稿台にセットし直すことで通常の画像読取処理が行われる。
【００３９】
＜第３の実施形態＞
上述の第１の実施形態では、読取原稿サイズが原稿排出台の積載可能な原稿サイズよりも大きいと判定された場合に、画像メモリをクリアしたが、本実施形態では、画像メモリを保持する点で異なる。なお、画像読取装置の全体構成は、第１の実施形態の構成（図１、図２参照）と同様であるため、同一の符号を付して説明を省略する。
【００４０】
図１３は、第３の実施形態に係る画像読取装置の機能的構成を示すブロック図であり、図１４は、画像読取処理の動作手順を示す図である。
【００４１】
まず、ステップＳ３１１において、ユーザによって原稿の読取指令が入力される。次に、ステップＳ３１２において、原稿サイズ検知部８０１が原稿サイズを検知してその検知結果を判定部８０３に送信し、排出台状態検知部５５が原稿排出台状態を検知してその検知結果を判定部８０３に送信する。そして、ステップＳ３１３において、判定部８０３が、原稿サイズ検知部８０１で検知された読取原稿サイズＸ１と、排出台状態検知部５５で検知された原稿排出台の状態で積載可能な原稿サイズＸ２とを比較して、読取原稿サイズＸ１が現状の原稿排出台状態で積載可能な原稿サイズＸ２よりも大きい（Ｘ１＞Ｘ２）か否かを判定する。この判定処理は、原稿の給送前又は給送中に行う。
【００４２】
ステップＳ３１３で読取原稿サイズＸ１が原稿排出台で積載可能な原稿サイズＸ２以下である（Ｘ１＜＝Ｘ２）と判定された場合には、ステップＳ３１５において、通常の画像読取処理を行う。一方、ステップＳ３１３で読取原稿サイズＸ１が原稿排出台で積載可能な原稿サイズＸ２よりも大きい（Ｘ１＞Ｘ２）と判定された場合には、ステップＳ３１４において、原稿の画像読取処理及び給送処理を停止するために、ＣＰＵ８０４が、原稿給送制御部８１２、画像読取制御部８０５及び照射制御部８０９に原稿給送及び画像読取停止を行うように命令を送信する。なお、ステップＳ３１４では、この時点までに読み取った原稿の画像データが画像メモリ８０７に保持されている。
【００４３】
ユーザにより、原稿排出部の状態が適正に変更された場合には、ＣＰＵ８０４から原稿給送制御部８１２、画像読取制御部８０５及び照射制御部８０９に命令を送信し、画像読取再開を非表示とする。再開後は、それまで保持していた画像データの次のラインから画像読取処理を再開する。
【００４４】
＜第４の実施形態＞
上述の第１の実施形態では、読取原稿サイズが原稿排出台の積載可能な原稿サイズよりも大きいと判定された場合に、無条件で画像メモリをクリアし、また、上述の第３の実施形態では、無条件で画像メモリを保持したが、本実施形態では、原稿の読取処理が終了したか否かに基づいて、画像メモリをクリアするか又は保持するかを決定する点で異なる。なお、画像読取装置の全体構成は、第１の実施形態の構成（図１、図２参照）と同様であるため、同一の符号を付して説明を省略する。
【００４５】
図１５は、第４の実施形態に係る画像読取装置の機能的構成を示すブロック図であり、図１６は、画像読取処理の動作手順を示す図である。
【００４６】
まず、ステップＳ４１１において、ユーザによって原稿の読取指令が入力される。次に、ステップＳ４１２において、原稿サイズ検知部８０１が原稿サイズを検知してその検知結果を判定部８０３に送信し、排出台状態検知部５５が原稿排出台の状態を検知してその検知結果を判定部８０３に送信する。そして、ステップＳ４１３において、判定部８０３が、原稿サイズ検知部８０１で検知された読取原稿サイズＸ１と、排出台状態検知部５５で検知された原稿排出台の状態で積載可能な原稿サイズＸ２とを比較して読取原稿サイズＸ１が現状の原稿排出台状態で積載可能な原稿サイズＸ２よりも大きい（Ｘ１＞Ｘ２）か否かを判定する。この判定処理は、原稿の給送前又は給送中に行う。
【００４７】
ステップＳ４１３で読取原稿サイズＸ１が原稿排出台で積載可能な原稿サイズＸ２以下である（Ｘ１＜＝Ｘ２）と判定された場合には、ステップＳ４１８において、通常の画像読取処理を行う。
【００４８】
一方、ステップＳ４１３で読取原稿サイズＸ１が原稿排出台で積載可能な原稿サイズＸ２よりも大きい（Ｘ１＞Ｘ２）と判定された場合には、ステップＳ４１４において、画像読取の停止、原稿の給送・搬送の停止及び照射の停止を行う。続いて、ステップＳ４１５において、終了判定部８１４が画像メモリ８０７中の画像データを参照し、原稿画像の読取動作が終了したか否かを判定して、その判定結果をＣＰＵ８０４に送信する。なお、終了判定部８１４での判定処理は、副走査方向の読取原稿サイズが検知されたか否かに基づいて判定してもよい。
【００４９】
終了判定部８１４から送信された判定結果が画像読取終了であった場合には、ステップＳ４１６において、読み取りが終了した画像に対しては、画像処理を進行させ、画像メモリに保持しておく。
【００５０】
ユーザにより、原稿排出部の状態が適正に変更された場合は、ＣＰＵ８０４から原稿給送制御部８１２に命令を送信し、原稿給送動作を再開する。その後、読み取りが終了した原稿が正常に原稿排出台に積載される。
【００５１】
終了判定部８１４から送信された判定結果が画像読取未完であった場合には、ステップＳ４１７において、読取途中の画像に対して、画像メモリから画像データをクリアする。
【００５２】
ユーザにより、原稿排出部の状態が適正に変更された場合は、ステップＳ４１８で通常動作を開始させるため、ＣＰＵ８０４から原稿給送制御部８１２に命令を送信し、原稿給送・搬送動作を再開させ、給送・搬送の停止していた原稿を正常に原稿排出台に排出させる。ユーザが原稿を再び原稿台にセットし直すことで通常の画像読取動作が行われる。
【００５３】
なお、本実施形態では、読取が完了していない原稿の画像データをメモリから消去することとしたが、この画像データを消去せずにメモリに記憶しておき、原稿排出台の状態が適正に変更された場合に、原稿の給送、搬送及び読取を再開して、当該メモリに記憶された原稿途中までの画像データに、再開後に取得した原稿途中からの画像データを追加する構成としてもよい。
【００５４】
なお、排出台状態検知部５５と判定部８０３とを独立した構成とせず、例えば、ＣＰＵ８０４にセンサやスイッチ等の出力信号を入力してＣＰＵ８０４で検知及び判定を行ってもよい。また、本発明は、各実施形態に他の実施形態の構成要素を追加したものであっても実現することができる。
【図面の簡単な説明】
【００５５】
【図１】本発明の第１の実施形態に係る画像読取装置２００の概略的な構成を示す図である。
【図２】画像読取装置２００の概略的な構成を示す図である。
【図３】画像読取装置２００内の原稿給送装置１０１に配設された光学センサ４０１を示す図である。
【図４】主走査方向の原稿サイズ検知部の概略的な構成を示す図である。
【図５】副走査方向の原稿サイズ検知部の概略的な構成を示す図である。
【図６】画像読取装置の概略的な構成を示す図である。
【図７】画像読取装置の概略的な構成を示す図である。
【図８】原稿排出台状態検出機構の概略的な構成を示す図である。
【図９】第１の実施形態に係る画像読取装置の機能的構成を示すブロック図である。
【図１０】画像読取処理の動作手順を示す図である。
【図１１】第２の実施形態に係る画像読取装置の機能的構成を示すブロック図である。
【図１２】画像読取処理の動作手順を示す図である。
【図１３】第３の実施形態に係る画像読取装置の機能的構成を示すブロック図である。
【図１４】画像読取処理の動作手順を示す図である。
【図１５】第４の実施形態に係る画像読取装置の機能的構成を示すブロック図である。
【図１６】画像読取処理の動作手順を示す図である。
【符号の説明】
【００５６】
４４    原稿排出部（積載手段）
５５    排出台状態検知部（第２検知手段）
２００  画像読取装置
８０１  原稿サイズ検知部（第１検知手段）
８０３  判定部（判定手段）
８０４  ＣＰＵ
８０５  画像読取制御部（制御手段）
８０６  画像読取部（読取手段）
８０７  画像メモリ
８０８  照射部（照射手段）
８０９  照射制御部（制御手段）
８１２  原稿給送制御部（制御手段）
８１３  原稿給送部（給送手段）
【図１】
2010114528.tif 000003
【図２】
2010114528.tif 000004
【図３】
2010114528.tif 000005
【図４】
2010114528.tif 000006
【図５】
2010114528.tif 000007
【図６】
2010114528.tif 000008
【図７】
2010114528.tif 000009
【図８】
2010114528.tif 000010
【図９】
2010114528.tif 000011
【図１０】
2010114528.tif 000012
【図１１】
2010114528.tif 000013
【図１２】
2010114528.tif 000014
【図１３】
2010114528.tif 000015
【図１４】
2010114528.tif 000016
【図１５】
2010114528.tif 000017
【図１６】
2010114528.tif 000018